(57)【要約】【課題】  この発明は、常時録画と同時に常時録画中のタイトルまたは以前に記録したタイトルの再生を行っている場合に、入力信号の切り換えが行われたときに、入力信号の切り換え後の入力映像の内容（記録内容）を容易に確認できるようになる記録再生装置を提供することを目的とする。【解決手段】  ＤＶＤレコーダ、ＨＤＤレコーダ等の記録再生装置において、常時録画と同時に常時録画中のタイトルまたは以前に記録したタイトルの再生を行っている場合に、入力信号を切り換えるための操作が行われたときに、その操作に応じた入力信号の切り換え処理を行うとともに、入力信号切り換え処理後の入力映像を、再生映像とともに、所定時間だけ表示させる手段を備えている。【選択図】  図１
2005072779.tif 000002
【特許請求の範囲】
【請求項１】
常時録画と同時に常時録画中のタイトルまたは以前に記録したタイトルの再生を行っている場合に、入力信号を切り換えるための操作が行われたときに、その操作に応じた入力信号の切り換え処理を行うとともに、入力信号切り換え処理後の入力映像を、再生映像とともに、所定時間だけ表示させる手段を備えていることを特徴とする記録再生装置。
【請求項２】
常時録画と同時に常時録画中のタイトルまたは以前に記録したタイトルの再生を行っている場合に、入力信号を切り換えるための操作が行われたときに、その操作に応じた入力信号の切り換え処理を行うとともに、入力信号切り換え処理後の入力映像を所定時間、小画面表示させる手段を備えていることを特徴とする記録再生装置。
【発明の詳細な説明】
【技術分野】
【０００１】
この発明は、ＨＤＤレコーダ、ＤＶＤレコーダ等の記録再生装置に関する。
【背景技術】
【０００２】
ＨＤＤレコーダ、ＤＶＤレコーダ等の記録再生装置として、常時録画を行う機能を備えているとともに、常時録画中において、常時録画中のタイトルまたは以前に記録したタイトルの再生を行える機能を備えたものがある。なお、常時録画によって録画されているデータを記録アドレスと同じまたは異なるアドレスから再生させる機能は、タイムシフト再生と呼ばれている。
【０００３】
この種の記録再生装置には、常時録画中に入力信号を切り換えるための操作（つまり、入力切換え操作またはチューナからの入力信号が選択されている場合の当該チューナに対するチャンネル切換え操作）が行われた場合に、入力信号を切り換えるための処理が実行されるものがある。
【０００４】
このような記録再生装置では、常時録画と同時に常時録画中のタイトルまたは以前に記録したタイトルの再生を行っている場合に、入力信号の切り換えが行われても、入力信号の切り換え後の入力映像の内容（記録内容）を容易に確認できないという問題がある。
【発明の開示】
【発明が解決しようとする課題】
【０００５】
この発明は、常時録画と同時に常時録画中のタイトルまたは以前に記録したタイトルの再生を行っている場合に、入力信号の切り換えが行われたときに、入力信号の切り換え後の入力映像の内容（記録内容）を容易に確認できるようになる記録再生装置を提供することを目的とする。
【課題を解決するための手段】
【０００６】
請求項１に記載の発明は、常時録画と同時に常時録画中のタイトルまたは以前に記録したタイトルの再生を行っている場合に、入力信号を切り換えるための操作が行われたときに、その操作に応じた入力信号の切り換え処理を行うとともに、入力信号切り換え処理後の入力映像を、再生映像とともに、所定時間だけ表示させる手段を備えていることを特徴とする。
【０００７】
請求項２に記載の発明は、常時録画と同時に常時録画中のタイトルまたは以前に記録したタイトルの再生を行っている場合に、入力信号を切り換えるための操作が行われたときに、その操作に応じた入力信号の切り換え処理を行うとともに、入力信号切り換え処理後の入力映像を所定時間、小画面表示させる手段を備えていることを特徴とする。
【０００８】
請求項３に記載の発明は、常時録画と同時に常時録画中のタイトルまたは以前に記録したタイトルの再生を行っている場合に、入力信号を切り換えるための操作が行われたときに、その操作に応じた入力信号の切り換え処理を行うとともに、入力信号切り換え処理後の入力映像と、再生映像とを、画面を２分割して表示させる手段を備えていることを特徴とする。
【発明の効果】
【０００９】
この発明によれば、常時録画中に入力信号の切り換えが行われた場合に、常時録画と同時に常時録画中のタイトルまたは以前に記録したタイトルの再生を行っている場合に、入力信号の切り換えが行われたときに、入力信号の切り換え後の入力映像の内容（記録内容）を容易に確認できるようになる。
【発明を実施するための最良の形態】
【００１０】
以下、図面を参照して、この発明の実施例について説明する。
【実施例１】
【００１１】
図１は、記録再生装置の概略的な構成を示している。
【００１２】
記録再生装置は、アンテナ１、チューナ２、第１の外部入力端子３、第２の外部入力端子４、入力切換部５、ビデオデコーダ・オーディオＡ／Ｄ部６、ＭＰＥＧエンコーダ７、制御部８、大容量記憶媒体９、メモリ１０、操作部１１、ＭＰＥＧデコーダ１２、ビデオエンコーダ・オーディオＤ／Ａ部１３および出力端子１４を備えている。
【００１３】
第１の外部入力端子３および第２の外部入力端子４には、ＢＳ／ＣＳチューナ、ＤＶＤプレーヤ、デジタルビデオカメラ等の外部機器が接続される。大容量記憶媒体９としては、ハードディスク（ＨＤＤ）、ＤＶＤ等が用いられる。
【００１４】
記録時においては、入力切換部５において、チューナ２によって選局されたテレビジョン信号または外部入力端子３、４からの入力信号のいずれかが選択される。入力切換部５で選択されたアナログ信号は、ビデオデコーダ・オーディオＡ／Ｄ部６でデジタル化され、ＭＰＥＧエンコーダ７でエンコードされた後、大容量記憶媒体９に映像・音声タイトルとして保存される。
【００１５】
再生時においては、大容量記憶媒体９に保存されている映像・音声タイトルが、ＭＰＥＧデコーダ１２でデコードされ、ビデオエンコーダ・オーディオＤ／Ａ部１３でアナログ化された後、出力端子１４を介して外部の表示機器（テレビジョン装置等）に出力される。
【００１６】
制御部８は、操作部１１からの指示に応じて、ＭＰＥＧエンコーダ７、ＭＰＥＧデコーダ１２、大容量記憶媒体９、メモリ１０等の制御を行う。
【００１７】
この記録再生装置は、常時録画を行う機能を備えているとともに、常時録画中において、常時録画中のタイトルまたは以前に記録したタイトルの再生を行える機能を備えている。また、この記録再生装置では、常時録画と同時に常時録画中のタイトルまたは以前に記録したタイトルの再生を行っている場合に、入力信号を切り換えるための操作（この例では、入力切換部５によって入力を切り換えるための操作およびチューナ２からの入力信号が入力切換部５によって選択されているときにおけるチャンネル切換操作）が行われた場合に、その操作に応じた入力信号切換え処理を実行させるとともに、切り換え後の受信映像（記録映像）を一定時間、小画面表示させる機能（小画面自動表示機能）を備えている。
【００１８】
例えば、常時録画によって録画されているデータを記録アドレスと異なるアドレスから再生させている場合に、入力信号を切り換えるための操作が行われた場合の動作について説明する。
【００１９】
図２（ａ）は、常時録画が行われているエリア（常時録画エリア）に対する記録ポインタ（位置Ｍ１）と再生ポインタ（位置Ｐ１）とを示している。図２（ａ）の状態においては、図３（ａ）に示すように、モニタには再生ポインタの位置Ｐ１に対応する映像が表示されている。
【００２０】
図２（ｂ）で示す時点で、入力信号を切り換えるための操作が行われて、入力信号が切り換えられたとする。再生ポインタは位置Ｐ２にあり、記録ポインタは位置Ｍ２にある。この場合には、モニタには、図３（ｂ）に示すように、再生ポインタの位置（Ｐ２）に対応する映像が表示されるとともに、入力切換後の映像、すなわち、記録ポインタの位置Ｍ２に対応する映像が所定時間（数秒間）、小画面表示される。なお、この小画面には、切り換え後の映像の他、切り換え後の入力映像がチューナ２からの入力である場合にはそのチャンネルが、切り換え後の入力映像が第１の外部入力端子３からの入力である場合には外部入力１であることが、切り換え後の入力映像が第２の外部入力端子４からの入力である場合には外部入力２であることが、表示される。
【００２１】
この後、図２（ｃ）のような状態になると、図３（ｃ）に示すように、モニタには再生ポインタの位置Ｐ３に対応する映像が表示される。
【００２２】
図４は、小画面自動表示機能を実現するための処理手順を示している。
【００２３】
常時録画と同時に常時録画中のタイトルまたは以前に記録したタイトルの再生を行っている場合において（ステップ１でＹＥＳ）、入力信号を切り換えるための操作が行われると（ステップ２でＹＥＳ）、その入力信号切換操作に応じた入力信号切換処理を行う（ステップ３）。
【００２４】
また、現在記録中の映像（入力信号切換後の入力映像）を、小画面表示する（ステップ４）。この際、小画面内には、現在記録中の映像の他に、切り換え後の入力映像がチューナ２からの入力である場合にはそのチャンネルが、切り換え後の入力映像が第１の外部入力端子３からの入力である場合には外部入力１であることが、切り換え後の入力映像が第２の外部入力端子４からの入力である場合には外部入力２であることが、表示される。そして、ステップ４で小画面を表示してから、所定時間Ｔｓが経過したか否かを判別する（ステップ５）。所定時間Ｔｓとしては、例えば５秒が設定される。
【００２５】
所定時間Ｔｓが経過していない場合には、入力信号を切り換えるための操作が行われたか否かを判別する（ステップ７）。入力信号を切り換えるための操作が行われていない場合には、ステップ５に戻る。入力信号を切り換えるための操作が行われている場合には、小画面を消去した後（ステップ８）、ステップ３に戻る。
【００２６】
上記ステップ５において、所定時間Ｔｓが経過したと判別した場合には、小画面を消去した後（ステップ６）、ステップ１に戻る。
【産業上の利用可能性】
【００２７】
この発明は、単一の大容量記憶媒体を有する記録再生装置だけでなく、複数の大容量記憶媒体を有する記録再生装置、及びこれらを内蔵した様々な装置に応用できる。
【００２８】
上記実施例では、常時録画と同時に常時録画中のタイトルまたは以前に記録したタイトルの再生を行っている場合に、入力信号を切り換えたときには、再生ポインタの位置に対応する映像を大画面、記録ポインタの位置に対応する映像を小画面表示としているが、逆に記録ポインタの位置に対応する映像を大画面、再生ポインタの位置に対応する映像を小画面としたり、あるいはこれらの位置（再生ポインタの位置および記録ポインタの位置）に対応する映像を２分割画面（例えば、左右２分割画面）で同じ大きさで表示してもよい。
【図面の簡単な説明】
【００２９】
【図１】記録再生装置の概略的な構成を示すブロック図である。
【図２】再生ポインタおよび記録ポインタの変化を示すタイムチャートである。
【図３】図２（ａ）、図２（ｂ）、図２（ｃ）それぞれにおいて、モニタに表示される映像を示す模式図である。
【図４】小画面自動表示機能を実現するための処理手順を示すフローチャートである。
【符号の説明】
【００３０】
１  アンテナ
２  チューナ
３  第１の外部入力端子
４  第２の外部入力端子
５  入力切換部
６  ビデオデコーダ・オーディオＡ／Ｄ部
７  ＭＰＥＧエンコーダ
８  制御部
９  大容量記憶媒体
１０  メモリ
１１  操作部
１２  ＭＰＥＧデコーダ
１３  ビデオエンコーダ・オーディオＤ／Ａ部
１４  出力端子
【図１】
2005072779.tif 000003
【図２】
2005072779.tif 000004
【図３】
2005072779.tif 000005
【図４】
2005072779.tif 000006